【手続補正書】
【提出日】平成17年6月15日(2005.6.15)
【手続補正１】
【補正対象書類名】明細書
【補正対象項目名】特許請求の範囲
【補正方法】変更
【補正の内容】
【特許請求の範囲】
【請求項１】
表示画面上の任意の点を指示する指示手段と、
表示画面上の基準点を予め設定する設定手段と、
前記指示手段により表示画面上の任意の点が指示された際、該指示に係る指示点と前記設定手段により設定された基準点とを結ぶ方向のポインタマークを生成する生成手段と、
前記生成手段により生成されたポインタマークを前記表示画面上に表示させる表示制御手段と、
を備えたことを特徴とするポインタマーク表示制御装置。
【請求項２】
前記生成手段は、予め雛形として登録されたポインタマークを加工することにより、前記指示点と基準点とを結ぶ方向のポインタマークを生成することを特徴とする請求項１記載のポインタマーク表示制御装置。
【請求項３】
前記雛形として登録されたポインタマークは、ビットマップデータ形式で記述されていることを特徴とする請求項１記載のポインタマーク表示制御装置。
【請求項４】
前記雛形として登録されたポインタマークは、ベクトルデータ形式で記述されていることを特徴とする請求項１記載のポインタマーク表示制御装置。
【請求項５】
前記生成手段は、前記基準点から指示点に向かう矢印形のポインタマークを生成することを特徴とする請求項１記載のポインタマーク表示制御装置。
【請求項６】
前記設定手段は、複数の基準点を予め設定し、前記生成手段は、設定された複数の基準点の中から任意に選択された基準点を用いてポインタマークを生成することを特徴とする請求項１記載のポインタマーク表示制御装置。
【請求項７】
前記表示制御手段は、前記生成手段により生成されたポインタマークを点滅させながら前記表示画面上に表示させることを特徴とする請求項１記載のポインタマーク表示制御装置。
【請求項８】
前記表示制御手段は、前記生成手段により生成されたポインタマークをドットイメージで表示させる際に、前記基準点から指示点に向かって１ドット、又は数ドットの単位で順次点灯させていくことを特徴とする請求項１記載のポインタマーク表示制御装置。
【請求項９】
前記表示画面に表示されている画像を投影装置に転送してスクリーンに投影させるための転送制御手段を備えたことを特徴とする請求項１記載のポインタマーク表示制御装置。
【請求項１０】
前記表示制御手段は、前記生成手段により生成されたポインタマークを前記指示点の存在するウィンドウと背景部にのみ表示させることを特徴とする請求項１記載のポインタマーク表示制御装置。
【請求項１１】
前記生成手段は、予め雛形として登録されたビットマップ画像形式の明度勾配を持つポインタマークを用いて単調な明度勾配を持つポインタマークを生成することを特徴とする請求項１記載のポインタマーク表示制御装置。
【請求項１２】
前記生成手段は、予め雛形として登録されたビットマップ画像形式の明度勾配を持たないポインタマークの画素値を変化させることにより、単調な明度勾配を持つポインタマークを生成することを特徴とする請求項１記載のポインタマーク表示制御装置。
【請求項１３】
前記生成手段は、予め雛形として登録されたベクトルデータ形式の明度勾配を持たないポインタマークをビットマップ画像形式に変形した後に、該ビットマップ画像形式のポインタマークの画素値を変化させることにより、単調な明度勾配を持つポインタマークを生成することを特徴とする請求項１記載のポインタマーク表示制御装置。
【請求項１４】
前記生成手段は、予め雛形として登録されたベクトルデータ形式のポインタマークをビットマップ画像形式に変形した後に、該ポインタマークの画素値を変化させることにより、単調な明度勾配を持つポインタマークを生成することを特徴とする請求項１記載のポインタマーク表示制御装置。
【請求項１５】
前記表示制御手段は、前記生成手段により生成されたポインタマークを指示点に特定の図形を配して表示させることを特徴とする請求項１記載のポインタマーク表示制御装置。
【請求項１６】
前記表示制御手段は、前記生成手段により生成されたポインタマークを基準点に特定の図形を配して表示させることを特徴とする請求項１記載のポインタマーク表示制御装置。
【請求項１７】
表示画面上の任意の点を指示する指示工程と、
表示画面上の基準点を予め設定する設定工程と、
前記指示工程により表示画面上の任意の点が指示された際、該指示に係る指示点と前記設定工程により設定された基準点とを結ぶ方向のポインタマークを生成する生成工程と、
前記生成工程により生成されたポインタマークを前記表示画面上に表示させる表示制御工程と、
を備えたことを特徴とするポインタマーク表示制御方法。
【請求項１８】
情報処理装置の表示画面に表示されている画像を投影装置に転送してスクリーンに投影させる表示制御システムにおいて、前記情報処理装置は、
表示画面上の任意の点を指示する指示手段と、
表示画面上の基準点を予め設定する設定手段と、
前記指示手段により表示画面上の任意の点が指示された際、該指示に係る指示点と前記設定手段により設定された基準点とを結ぶ方向のポインタマークを生成する生成手段と、
前記生成手段により生成されたポインタマークを前記表示画面上に表示させる表示制御手段と、
を備えたことを特徴とする表示制御システム。
【請求項１９】
情報処理装置の表示画面に表示されている画像を投影装置に転送してスクリーンに投影させるための制御プログラムを記憶する記憶媒体であって、前記制御プログラムは、
表示画面上の任意の点を指示する指示ルーチンと、
表示画面上の基準点を予め設定する設定ルーチンと、
前記指示ルーチンにより表示画面上の任意の点が指示された際、該指示に係る指示点と前記設定ルーチンにより設定された基準点とを結ぶ方向のポインタマークを生成する生成ルーチンと、
前記生成ルーチンにより生成されたポインタマークを前記表示画面上に表示させる表示制御ルーチンと、
を含むことを特徴とする記憶媒体。
【手続補正２】
【補正対象書類名】明細書
【補正対象項目名】００１１
【補正方法】変更
【補正の内容】
【００１１】
また、本発明は、表示画面上の任意の点を指示する指示工程と、表示画面上の基準点を予め設定する設定工程と、前記指示工程により表示画面上の任意の点が指示された際、該指示に係る指示点と前記設定工程により設定された基準点とを結ぶ方向のポインタマークを生成する生成工程と、前記生成工程により生成されたポインタマークを前記表示画面上に表示させる表示制御工程とを備えている。
【手続補正３】
【補正対象書類名】明細書
【補正対象項目名】００１４
【補正方法】変更
【補正の内容】
【００１４】
また、本発明では、前記生成手段は、予め雛形として登録されたポインタマークを加工することにより、前記指示点と基準点とを結ぶ方向のポインタマークを生成している。
【手続補正４】
【補正対象書類名】明細書
【補正対象項目名】００１７
【補正方法】変更
【補正の内容】
【００１７】
また、本発明では、前記生成手段は、前記基準点から指示点に向かう矢印形のポインタマークを生成している。
【手続補正５】
【補正対象書類名】明細書
【補正対象項目名】００１８
【補正方法】変更
【補正の内容】
【００１８】
また、本発明では、前記設定手段は、複数の基準点を予め設定し、前記生成手段は、設定された複数の基準点の中から任意に選択された基準点を用いてポインタマークを生成している。
【手続補正６】
【補正対象書類名】明細書
【補正対象項目名】００１９
【補正方法】変更
【補正の内容】
【００１９】
また、本発明では、前記表示制御手段は、前記生成手段により生成されたポインタマークを点滅させながら前記表示画面上に表示させている。
【手続補正７】
【補正対象書類名】明細書
【補正対象項目名】００２０
【補正方法】変更
【補正の内容】
【００２０】
また、本発明では、前記表示制御手段は、前記生成手段により生成されたポインタマークをドットイメージで表示させる際に、前記基準点から指示点に向かって１ドット、又は数ドットの単位で順次点灯させていくようにしている。
【手続補正８】
【補正対象書類名】明細書
【補正対象項目名】００２１
【補正方法】変更
【補正の内容】
【００２１】
また、本発明では、前記表示画面に表示されている画像を投影装置に転送してスクリーンに投影させるための転送制御手段を備えている。
【手続補正９】
【補正対象書類名】明細書
【補正対象項目名】００２２
【補正方法】変更
【補正の内容】
【００２２】
また、本発明では、前記表示制御手段は、前記生成手段により生成されたポインタマークを前記指示点の存在するウィンドウと背景部にのみ表示させている。
【手続補正１０】
【補正対象書類名】明細書
【補正対象項目名】００２３
【補正方法】変更
【補正の内容】
【００２３】
また、本発明では、前記表示制御手段は、前記生成手段により生成されたポインタマークを前記指示点、基準点の存在するウィンドウと背景部にのみ表示させている。
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】変更
【補正の内容】
【００２６】
また、本発明では、前記生成手段は、予め雛形として登録されたビットマップ画像形式の明度勾配を持たないポインタマークの画素値を変化させることにより、単調な明度勾配を持つポインタマークを生成している。
【手続補正１４】
【補正対象書類名】明細書
【補正対象項目名】００２７
【補正方法】変更
【補正の内容】
【００２７】
また、本発明では、前記生成手段は、予め雛形として登録されたベクトルデータ形式の明度勾配を持たないポインタマークをビットマップ画像形式に変形した後に、該ビットマップ画像形式のポインタマークの画素値を変化させることにより、単調な明度勾配を持つポインタマークを生成している。
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】変更
【補正の内容】
【００３０】
また、本発明では、前記生成手段は、予め雛形として登録されたベクトルデータ形式のポインタマークをビットマップ画像形式に変形した後に、該ポインタマークの画素値を変化させることにより、単調な明度勾配を持つポインタマークを生成している。
【手続補正１８】
【補正対象書類名】明細書
【補正対象項目名】００３１
【補正方法】変更
【補正の内容】
【００３１】
また、本発明では、前記表示制御手段は、前記生成手段により生成されたポインタマークを指示点に特定の図形を配して表示させている。
【手続補正１９】
【補正対象書類名】明細書
【補正対象項目名】００３２
【補正方法】変更
【補正の内容】
【００３２】
また、本発明では、前記表示制御手段は、前記生成手段により生成されたポインタマークを基準点に特定の図形を配して表示させている。